(57)【要約】【課題】ハウジングの外表面により記録媒体の案内面が構成されている定着装置を画像形成装置に対して着脱する際に、当該案内面の損傷を防止することができる定着装置およびこれを備える画像形成装置を提供すること。【解決手段】一連の画像形成プロセスにより記録媒体に画像を形成する画像形成装置に対して着脱可能に設けられて使用され、互いに圧接回転する定着ローラ９１と加圧ローラ９２との間に、未定着像を担持する記録媒体を通過させて、該記録媒体を加熱・加圧することにより、前記未定着像を前記記録媒体に定着させる定着装置であって、定着ローラ９１および加圧ローラ９２を収容するハウジング９６を備え、ハウジング９６は、その外表面の少なくとも一部（案内部９６Ａの先端部）が記録媒体の案内面を構成しており、案内面よりも突出する突出部９６Ｂが設けられている。【選択図】図２
2006106032.tif 000002
【特許請求の範囲】
【請求項１】
一連の画像形成プロセスにより記録媒体に画像を形成する画像形成装置に対して着脱可能に設けられて使用され、互いに圧接回転する１対の回転体の間に、未定着像を担持する記録媒体を通過させて、該記録媒体を加熱・加圧することにより、前記未定着像を前記記録媒体に定着させる定着装置であって、
前記１対の回転体を収容するハウジングを備え、
前記ハウジングは、その外表面の少なくとも一部が前記記録媒体の案内面を構成しており、
前記案内面よりも突出する突出部が設けられていることを特徴とする定着装置。
【請求項２】
前記突出部は、前記案内面によって案内される前記記録媒体の搬送領域の幅方向での外側に位置している請求項１に記載の定着装置。
【請求項３】
前記突出部は、前記搬送領域の幅方向での両外側に設けられ、前記記録媒体の幅方向での移動を規制するように構成されている請求項２に記載の定着装置。
【請求項４】
前記記録媒体の搬送方向における前記突出部の上流側の端部は、下流側から上流側へ向け前記両外側の前記突出部同士の間の距離を漸増するように構成されている請求項３に記載の定着装置。
【請求項５】
前記突出部は、前記案内面によって案内される前記記録媒体の搬送領域の搬送方向でのほぼ全範囲に亘って形成されている請求項１ないし４のいずれかに記載の定着装置。
【請求項６】
前記突出部は、定着装置が画像形成装置に対し離脱した状態時にのみ、前記案内面から突出するように構成されている請求項１ないし５のいずれかに記載の定着装置。
【請求項７】
前記ハウジングは、前記案内面が前記記録媒体を案内する方向に延びる線状をなし前記ハウジングの外周面から突出する案内部を有し、該案内部の先端部が前記案内面を構成している請求項１ないし６のいずれかに記載の定着装置。
【請求項８】
請求項１ないし７のいずれかに記載の定着装置を備えることを特徴とする画像形成装置。
【発明の詳細な説明】
【技術分野】
【０００１】
本発明は、定着装置およびこれを備える画像形成装置に関するものである。
【背景技術】
【０００２】
電子写真方式を採用するプリンタ、複写機、ファクシミリなどの画像形成装置には、トナーにより形成されたトナー像を未定着状態で担持する紙等の記録媒体に加熱および加圧することにより、前記トナー像を前記記録媒体に定着させる定着装置が備えられている(例えば、特許文献１参照。)。
かかる定着装置は、互いに圧接回転する円筒状の１対の回転体と、この１対の回転体のうちの一方を加熱する熱源とを有している。記録媒体は、画像形成装置内に設けられた転写部にて未定着像の転写を受けた後に、前記１対の回転体の前記圧接により形成されたニップを通過することにより、加熱および加圧されて、定着処理される。
【０００３】
また、特許文献１では、高温の回転体にユーザが触れるのを防止して、安全性を確保する目的などのため、記録媒体の通過領域を除いて前記１対の回転体の周囲を覆うように、前記１対の回転体がハウジング内に収められている。このハウジングの外表面は、記録媒体の両面に画像を形成する場合に、一方の面の定着処理が施された記録媒体の他方の面にトナー像を形成するために当該記録媒体を前記転写部に帰還させる際に、記録媒体を案内する案内面を兼ねている。
【０００４】
また、このようにハウジングに１対の回転体が収容された定着装置は、画像形成装置に対して着脱可能となっていて、定着装置が寿命となった場合などには、定着装置を新たなものに交換することができる。
しかしながら、定着装置の交換時などに、前述した案内面が他の物体と接触して、案内面が損傷するおそれがある。損傷した案内面は、記録媒体の案内を円滑に行うことができずに、記録媒体を画像形成装置内で滞留させてしまうおそれがある。
【０００５】
【特許文献１】特開平１−２７４１６１号公報
【発明の開示】
【発明が解決しようとする課題】
【０００６】
本発明の目的は、ハウジングの外表面により記録媒体の案内面が構成されている定着装置を画像形成装置に対して着脱する際に、当該案内面の損傷を防止することができる定着装置およびこれを備える画像形成装置を提供することにある。
【課題を解決するための手段】
【０００７】
このような目的は、下記の本発明により達成される。
本発明の定着装置は、一連の画像形成プロセスにより記録媒体に画像を形成する画像形成装置に対して着脱可能に設けられて使用され、互いに圧接回転する１対の回転体の間に、未定着像を担持する記録媒体を通過させて、該記録媒体を加熱・加圧することにより、前記未定着像を前記記録媒体に定着させる定着装置であって、
前記１対の回転体を収容するハウジングを備え、
前記ハウジングは、その外表面の少なくとも一部が前記記録媒体の案内面を構成しており、
前記案内面よりも突出する突出部が設けられていることを特徴とする。
これにより、定着装置を画像形成装置に対して着脱する際に、突出部が他の物体と接触して案内面を保護するので、当該案内面の損傷を防止することができる。特に、画像形成装置から離脱された定着装置をテーブルや床などの板面上に載置した際に、案内面を当該板面から離間させた状態にして、当該案内面の損傷を防止することができる。
【０００８】
本発明の定着装置では、前記突出部は、前記案内面によって案内される前記記録媒体の搬送領域の幅方向での外側に位置していることが好ましい。
これにより、比較的簡単な構成で、画像形成装置に定着装置が装着されているときに、案内面による記録媒体の案内を阻害することなく、案内面の損傷を防止することができる。
【０００９】
本発明の定着装置では、前記突出部は、前記搬送領域の幅方向での両外側に設けられ、前記記録媒体の幅方向での移動を規制するように構成されていることが好ましい。
これにより、案内面の損傷を防止するとともに、記録媒体の幅方向での移動を規制するための部材を別途設ける必要がないので、定着装置の低コスト化および小型化を図ることができる。
【００１０】
本発明の定着装置では、前記記録媒体の搬送方向における前記突出部の上流側の端部は、下流側から上流側へ向け前記両外側の前記突出部同士の間の距離を漸増するように構成されていることが好ましい。
これにより、案内面に対する記録媒体の突入を円滑なものとしつつ、記録媒体の幅方向での移動を規制することができる。
【００１１】
本発明の定着装置では、前記突出部は、前記案内面によって案内される前記記録媒体の搬送領域の搬送方向でのほぼ全範囲に亘って形成されていることが好ましい。
これにより、案内面の損傷をより確実に防止するとともに、記録媒体の幅方向での移動をより確実に規制して、案内面に案内された記録媒体Ｐが画像形成装置内で滞留（ジャム）するのを防止することができる。
本発明の定着装置では、前記突出部は、定着装置が画像形成装置に対し離脱した状態時にのみ、前記案内面から突出するように構成されていることが好ましい。
これにより、画像形成装置内における定着装置の設置スペースの増大を招くことなく、案内面の損傷を防止することができる。
【００１２】
本発明の定着装置では、前記ハウジングは、前記案内面が前記記録媒体を案内する方向に延びる線状をなし前記ハウジングの外周面から突出する案内部を有し、該案内部の先端部が前記案内面を構成していることが好ましい。
これにより、案内面と記録媒体との接触面積を低減することができるので、記録媒体を案内面によって円滑に案内することができる。このような案内面の強度は比較的低いため、本発明の効果がより顕著となる。
本発明の画像形成装置は、本発明の定着装置を備えることを特徴とする。
これにより、ハウジングの外表面により記録媒体の案内面が構成されている定着装置を画像形成装置に対して着脱する際に、当該案内面の損傷を防止することができる。
【発明を実施するための最良の形態】
【００１３】
以下、本発明の定着装置およびこれを備える画像形成装置の好適な実施形態を添付図面に基づいて説明する。
＜第１実施形態＞
本発明の第１実施形態を図１ないし図３に基づき説明する。
◆◆◆画像形成装置◆◆◆
本発明の定着装置に先立ち、本発明の定着装置を備える画像形成装置を簡単に説明する。
図１は、本発明にかかる画像形成装置の１実施形態を示す全体構成の模式的断面図、図２は、図１に示す画像形成装置に備えられた定着装置の好適な実施形態を示す模式的断面図、図３は、図２に示す定着装置に備えられたハウジングの概略構成を示す外観図である。
【００１４】
本実施形態の画像形成装置１０は、図１に示すように、潜像を担持し図示矢印方向に回転する感光体２０を有し、その回転方向に沿って順次、帯電ユニット３０、露光ユニット４０、現像ユニット５０、一次転写ユニット６０、クリーニングユニット７５が配設されている。また、画像形成装置１０は、図１にて下部に、紙などの記録媒体Ｐを収容する給紙トレイ８２を有し、その給紙トレイ８２に対して記録媒体Ｐの搬送方向下流に、レジローラ８６、二次転写ユニット８０、定着装置９０、排紙ローラ対８７が順次配設されている。また、画像形成装置１０には、記録媒体の両面に画像を形成する場合に、定着装置９０によって一方の面に定着処理された記録媒体Ｐを表裏反転させて二次転写ユニット８０へ帰還させるための搬送部８８が設けられている。
【００１５】
感光体２０は、円筒状の導電性基材（図示せず）と、その外周面に形成された感光層（図示せず）とを有し、その軸線まわりに図１中矢印方向に回転可能となっている。
帯電ユニット３０は、コロナ帯電などにより感光体２０の表面を一様に帯電するための装置である。
露光ユニット４０は、図示しないパーソナルコンピュータなどのホストコンピュータから画像情報を受けこれに応じて、一様に帯電された感光体２０上に、レーザを照射することによって、静電的な潜像を形成する装置である。
【００１６】
現像ユニット５０は、ブラック現像装置５１と、マゼンタ現像装置５２と、シアン現像装置５３と、イエロー現像装置５４との４つの現像装置を有し、これらの現像装置を感光体２０上の潜像に対応して選択的に用いて、前記潜像をトナー像として可視化する装置である。ブラック現像装置５１はブラック（Ｋ）トナー、マゼンタ現像装置５２はマゼンタ（Ｍ）トナー、シアン現像装置５３はシアン（Ｃ）トナー、イエロー現像装置５４はイエロー（Ｙ）トナーを用いて現像を行う。
【００１７】
本実施形態におけるＹＭＣＫ現像ユニット５０は、前述の４つの現像装置５１、５２、５３、５４を選択的に感光体２０に対向するように、回転可能となっている。具体的には、このＹＭＣＫ現像ユニット５０は、軸５０ａを中心として回転可能な保持体の４つの保持部５５ａ、５５ｂ、５５ｃ、５５ｄにそれぞれ４つの現像装置５１、５２、５３、５４が保持されており、前記保持体の回転により、４つの現像装置５１、５２、５３、５４が相対位置関係を維持したまま、感光体２０に選択的に対向するようになっている。
【００１８】
一次転写ユニット６０は、感光体２０に形成された単色のトナー像を中間転写体７０に転写するための装置である。
中間転写体７０は、エンドレスのベルトであり、図１に示す矢印方向に、感光体２０とほぼ同じ周速度にて回転駆動される。中間転写体７０上には、ブラック、マゼンタ、シアン、イエローのうちの少なくとも１色のトナー像が担持され、例えばフルカラー画像の形成時に、ブラック、マゼンタ、シアン、イエローの４色のトナー像が順次重ねて転写されて、フルカラーのトナー像が形成される。
【００１９】
二次転写ユニット８０は、中間転写体７０上に形成された単色やフルカラーなどのトナー像を、紙、フィルム、布等の記録媒体Ｐに転写するための装置である。
定着装置９０は、前記トナー像の転写を受けた記録媒体Ｐを加熱および加圧することにより、前記トナー像を記録媒体Ｐに融着させて永久像として定着させるための装置である。なお、定着装置９０については、後に詳述する。
【００２０】
クリーニングユニット７５は、一次転写ユニット６０と帯電ユニット３０との間で感光体２０の表面に当接するゴム製のクリーニングブレード７６を有し、一次転写ユニット６０によって中間転写体７０上にトナー像が転写された後に、感光体２０上に残存するトナーをクリーニングブレード７６により掻き落として除去するための装置である。
搬送部８８は、定着装置９０によって一方の面に定着処理された記録媒体Ｐを挟持搬送する搬送ローラ対８８Ａ、８８Ｂと、搬送ローラ対８８Ａ、８８Ｂによって搬送される記録媒体Ｐを表裏反転しつつレジローラ８６へ向け案内する搬送路８８Ｃとを備えている。これにより、記録媒体の両面に画像形成する場合に、定着装置９０によって一方の面に定着処理された記録媒体Ｐを表裏反転して二次転写ユニット８０へ帰還させる。
【００２１】
次に、このように構成された画像形成装置１０の動作を説明する。
まず、図示しないホストコンピュータからの指令により、感光体２０、現像ユニット５０に設けられた現像ローラ（図示せず）、および中間転写体７０が回転を開始する。そして、感光体２０は、回転しながら、帯電ユニット３０により順次帯電される。
感光体２０の帯電された領域は、感光体２０の回転に伴って露光位置に至り、露光ユニット４０によって、第１色目、例えばイエローＹの画像情報に応じた潜像が前記領域に形成される。
【００２２】
感光体２０上に形成された潜像は、感光体２０の回転に伴って現像位置に至り、イエロー現像装置５４によってイエロートナーで現像される。これにより、感光体２０上にイエロートナー像が形成される。このとき、ＹＭＣＫ現像ユニット５０は、イエロー現像装置５４が、前記現像位置にて感光体２０と対向している。
感光体２０上に形成されたイエロートナー像は、感光体２０の回転に伴って一次転写位置に至り、一次転写ユニット６０によって、中間転写体７０に転写される。このとき、一次転写ユニット６０には、トナーの帯電極性とは逆の極性の一次転写電圧（一次転写バイアス）が印加される。なお、この間、二次転写ユニット８０は、中間転写体７０から離間している。
【００２３】
前述の処理と同様の処理が、第２色目、第３色目および第４色目について繰り返して実行されることにより、各画像信号に対応した各色のトナー像が、中間転写体７０に重なり合って転写される。これにより、中間転写体７０上にはフルカラートナー像が形成される。
一方、記録媒体Ｐは、給紙トレイ８２から、給紙ローラ８４、レジローラ８６によって二次転写ユニット８０へ搬送される。
【００２４】
中間転写体７０上に形成されたフルカラートナー像は、中間転写体７０の回転に伴って二次転写位置に至り、二次転写ユニット８０によって記録媒体Ｐに転写される。このとき、二次転写ユニット８０は中間転写体７０に押圧されるとともに二次転写電圧（二次転写バイアス）が印加される。
記録媒体Ｐに転写されたフルカラートナー像は、定着装置９０によって加熱および加圧されて記録媒体Ｐに融着される。その後、記録媒体Ｐは、排紙ローラ対８７によって画像形成装置１０の外部へ排出される。
【００２５】
一方、感光体２０は一次転写位置を経過した後に、クリーニングユニット７５のクリーニングブレード７６によって、その表面に付着しているトナーが掻き落とされ、次の潜像を形成するための帯電に備える。掻き落とされたトナーは、クリーニングユニット７５内の残存トナー回収部に回収される。
記録媒体の両面に画像形成する場合には、定着装置９０によって一方の面に定着処理された記録媒体Ｐを一旦排紙ローラ対８７により挟持した後に、排紙ローラ対８７を反転駆動するとともに、搬送ローラ対８８Ａ、８８Ｂを駆動して、当該記録媒体Ｐを搬送路８８Ｃを通じて表裏反転して二次転写ユニット８０へ帰還させ、前述と同様の動作により、記録媒体Ｐの他方の面に画像を形成する。
【００２６】
◆◆◆定着装置◆◆◆
ここで、定着装置９０を図１ないし図３に基づいて詳細に説明する。
定着装置９０は、図２に示すように、互いに圧接回転する１対の回転体である定着ローラ９１および加圧ローラ９２と、これらを加熱するためのヒータ９３と、定着ローラ９１の温度を検知するための温度検知体９４と、定着ローラ９１から定着後の記録媒体を分離するための分離部材９５と、定着ローラ９１および加圧ローラ９２を収容するハウジング９６とを有している。
【００２７】
この定着装置９０は、定着ローラ９１および加圧ローラ９２の圧接により形成されるニップＮに対し、図２にて下方から、未定着像を担持する記録媒体がニップＮへ搬送され、前記記録媒体を加熱および加圧することにより、前記未定着像を前記記録媒体に定着させる。すなわち、互いに圧接回転する定着ローラ９１と加圧ローラ９２との間に、前記記録媒体を通過させて、該記録媒体を加熱・加圧することにより、前記未定着像を前記記録媒体に定着させる。本実施形態では、ニップＮに搬送される記録媒体は定着ローラ９１側に未定着像を担持している。
【００２８】
定着ローラ９１は、円筒状をなし、その軸線まわりに回転可能となっている。また、定着ローラ９１の内部空間には、ヒータ９３が配設され、定着ローラ９１は、ヒータ９３により加熱される。
このような定着ローラ９１の温度を検知するための温度検知体９４は、例えばサーミスタであり、定着ローラ９１の周面に近接して設けられている。このような温度検知体９４によって検知された温度に基づき、図示しない制御手段により、前述したヒータ９３の駆動が制御される。
【００２９】
定着ローラ９１から定着後の記録媒体を分離するための分離部材９５は、定着ローラ９１の周面に接触もしくは近接して設けられており、ニップＮを通過した後の記録媒体を定着ローラ９１から分離して正規の位置（定着装置９０の外部）へもたらすようになっている。
加圧ローラ９２は、円筒状をなし、その軸線まわりに回転可能になっているとともに、定着ローラ９１に圧接している。
【００３０】
前述したような定着ローラ９１および加圧ローラ９２を収容するハウジング９６は、その一部にて、図１に示すように、前述した搬送路８８Ｃにおける記録媒体Ｐの案内面を構成している。
より具体的には、ハウジング９６は、図２および図３に示すように、線状をなしてハウジング９６の基部から突出する複数の案内部９６Ａと、ハウジング９６の基部から案内部９６Ａよりもハウジング９６の外側へ突出する突出部９６Ｂとを有している。
【００３１】
各案内部９６Ａは、その先端部が記録媒体Ｐの案内面を構成しており、記録媒体Ｐの搬送方向に沿って延びている。すなわち、各案内部９６Ａは、リブとして形成され、その先端部が記録媒体の案内面を構成している。また、複数の案内部９６Ａは、記録媒体Ｐの搬送方向に直角な方向でハウジング９６の外周面に沿って、互いに間隔を隔てて配置されている。
このような形状で案内面を構成する案内部９６Ａは、案内面９６Ａ１と記録媒体Ｐとの接触面積を低減することができるので、記録媒体Ｐを案内面によって円滑に案内することができる。このような案内面の強度は比較的低いため、後述する突出部９６Ｂによる本発明の効果がより顕著となる。
【００３２】
突出部９６Ｂは、前述した複数の案内部９６Ａ群の記録媒体Ｐの幅方向での外側４箇所にて、案内部９６Ａの先端部、すなわち案内面よりも突出している。これにより、定着装置９０を画像形成装置１０に対して着脱する際に、突出部９６Ｂが他の物体と接触して案内面９６Ａ１を保護するので、案内面９６Ａ１の損傷を防止することができる。特に、画像形成装置１０から離脱された定着装置９０をテーブルや床などの板面上に載置した際に、案内面９６Ａ１を当該板面から離間させた状態にして、案内面９６Ａ１の損傷を防止することができる。
【００３３】
特に、本実施形態では、突出部９６Ｂが案内面９６Ａ１によって案内される記録媒体Ｐの搬送領域の幅方向での外側に位置しているので、比較的簡単な構成で、定着装置９０が画像形成装置１０に装着されているときに、案内面９６Ａ１による記録媒体Ｐの案内を阻害することなく、案内面９６Ａ１の損傷を防止することができる。
また、突出部９６Ｂは、突出部９６Ｂが案内面９６Ａ１によって案内される記録媒体Ｐの搬送領域の幅方向での両外側に設けられ、記録媒体Ｐの幅方向での移動を規制するように構成されている。これにより、案内面９６Ａ１の損傷を防止するとともに、記録媒体Ｐの幅方向での移動を規制するための部材を別途設ける必要がないので、定着装置９０の低コスト化および小型化を図ることができる。
【００３４】
また、記録媒体Ｐの搬送方向における突出部９６Ｂの上流側の端部、すなわち４つの突出部９６Ｂのうち図２および図３にて上側の突出部９６Ｂは、図３に示すように、下流側から上流側へ向け前記両外側の突出部９６Ｂ同士の間の距離を漸増するように構成されている。これにより、案内面９６Ａ１に対する記録媒体Ｐの突入を円滑なものとしつつ、記録媒体Ｐの幅方向での移動を規制することができる。
以上説明したように、本実施形態の定着装置９０およびこれを備える画像形成装置１０は、定着装置９０を画像形成装置１０に対して着脱する際に、案内部９６Ａの先端部により構成された案内面の損傷を防止することができる。
【００３５】
＜第２実施形態＞
本発明の第２実施形態を図４に基づき説明する。以下、第２実施形態について、前述した第１実施形態との違いを中心に説明し、同様の事項についてはその説明を省略する。
図４は、本実施形態の定着装置に備えられたハウジングの概略構成を示す外観図である。
【００３６】
本実施形態の定着装置は、ハウジングの構成が異なる以外は、第１実施形態の定着装置と同様である。
本実施形態の定着装置に備えられたハウジング９６’は、図４に示すように、ハウジング９６の基部から案内部９６Ａよりもハウジング９６の外側へ突出する突出部９６Ｂ’を有している。この突出部９６Ｂ’も、前述した複数の案内部９６Ａ群の記録媒体Ｐの幅方向での外側にて、案内部９６Ａの先端部、すなわち案内面よりも突出しているので、定着装置９０を画像形成装置１０に対して着脱する際に、突出部９６Ｂ’が他の物体と接触して案内面９６Ａ１を保護するので、案内面９６Ａ１の損傷を防止することができる。
【００３７】
特に、この突出部９６Ｂ’は、案内面９６Ａ１によって案内される記録媒体Ｐの搬送領域の搬送方向でのほぼ全範囲に亘って形成されている。すなわち、突出部９６Ｂ’も、案内部９６Ａと同様に、リブ状となっている。
これにより、案内面９６Ａ１の損傷をより確実に防止するとともに、記録媒体Ｐの幅方向での移動をより確実に規制して、搬送路８８Ｃでの記録媒体Ｐの滞留（ジャム）を防止することができる。
【００３８】
＜第３実施形態＞
本発明の第３実施形態を図５に基づき説明する。以下、第３実施形態について、前述した第１実施形態との違いを中心に説明し、同様の事項についてはその説明を省略する。
図５（Ａ）は、本実施形態の定着装置に備えられたハウジングの概略構成を示す断面図、図５（Ｂ）は、このハウジングの概略構成を示す外観図である。
【００３９】
本実施形態の定着装置は、ハウジングの構成が異なる以外は、第１実施形態の定着装置と同様である。
本実施形態の定着装置に備えられたハウジング９６’’は、前述した複数の案内部９６Ａ群の記録媒体Ｐの幅方向での外側にて、ハウジング９６’’の基部に回動自在に略Ｖ字状の回動部材９６Ｃが設けられている。
【００４０】
この回動部材９６Ｃは、その一端部がバネ等の付勢部材９６Ｄによって図５（Ａ）中の矢印と反対方向に付勢されている。
定着装置が画像形成装置から離脱されている際には、図５（Ａ）にて実線で示すように、また、図５（Ｂ）に示すように、付勢部材９６Ｄの付勢力によって、回動部材９６Ｃの他端部が、ハウジング９６’’に設けられた開口部９６Ｅから案内部９６Ａの先端よりも突出する。すなわち、定着装置が画像形成装置から離脱されている際には、回動部材９６Ｃの他端部が突出部を構成する。
【００４１】
一方、定着装置が画像形成装置に装着されている際には、画像形成装置の定着装置との係合部８９に形成された突起８９Ａが、ハウジング９６’’に設けられた開口部９６Ｆを通じて、回動部材９６Ｃを付勢部材９６Ｄの付勢力に抗して回動させる。これにより、図５（Ａ）にて破線で示すように、回動部材９６Ｃの他端部がハウジング９６’’内に収容される。
【００４２】
このように、回動部材９６Ｃは、定着装置が画像形成装置に対し離脱した状態時にのみ、案内部９６Ａの案内面から突出する突出部を構成する。これにより、画像形成装置内における定着装置の設置スペースの増大を招くことなく、案内面の損傷を防止することができる。
以上、本発明について、好適な実施形態に基づいて説明したが、本発明はこれに限定されるものではない。
【００４３】
例えば、本発明の定着装置および画像形成装置を構成する各部は、同様の機能を発揮する任意のものと置換、または、その他の構成を追加することもできる。
また、突出部の形状、位置、大きさ等は、定着装置を画像形成装置に装着した際に、案内面による記録媒体の案内を妨げることなく、かつ、定着装置を画像形成装置から離脱した際に、案内面よりも突出しているものであれば、前述した実施形態のものに限定されず、任意である。
【００４４】
また、前述した実施形態では、定着装置として、１対の回転体としてローラ状をなす定着ローラおよび加圧ローラを備えるものについて説明したが、一方の回転体をフィルム状とし、他方の回転体をローラ状とするものであってもよい。
例えば、支持体に支持された加熱体と、支持体の周囲に外嵌された一方の回転体である耐熱フィルムと、耐熱フィルムを介して加熱体に圧接してニップを形成する他方の回転体である加圧ローラとを備え、未定着のトナー像を担持した記録媒体を前記ニップに通過させることにより記録媒体に前記加熱体の熱エネルギーを付与して定着させる定着装置であってもよい。
【００４５】
また、励磁コイルと、励磁コイルを支持する支持体と、励磁コイルが生成する磁場中を移動する導電層を有する一方の回転体であるフィルムと、フィルムを介して支持体に圧接してニップを形成する他方の回転体である加圧ローラとを備え、未定着のトナー像を担持した記録媒体を前記ニップに通過させることにより記録媒体に前記フィルムの熱エネルギーを付与して定着させる定着装置であってもよい。
【図面の簡単な説明】
【００４６】
【図１】本発明の第１実施形態にかかる画像形成装置を示す全体構成の模式的断面図である。
【図２】図１に示す画像形成装置に備えられた定着装置の好適な実施形態を示す模式的断面図である。
【図３】図２に示す定着装置に備えられたハウジングの概略構成を示す外観図である。
【図４】本発明の第２実施形態にかかる定着装置に備えられたハウジングの概略構成を示す外観図である。
【図５】本発明の第３実施形態にかかる定着装置に備えられたハウジングの概略構成を示す図である。
【符号の説明】
【００４７】
１０‥‥‥画像形成装置  ２０‥‥‥感光体  ３０‥‥‥帯電ユニット  ４０‥‥‥露光ユニット  ５０‥‥‥現像ユニット  ５０ａ‥‥‥軸  ５１‥‥‥ブラック現像装置  ５２‥‥‥マゼンタ現像装置  ５３‥‥‥シアン現像装置  ５４‥‥‥イエロー現像装置  ５５ａ〜５５ｄ‥‥‥保持部  ６０‥‥‥一次転写ユニット  ７０‥‥‥中間転写体  ７５‥‥‥クリーニングユニット  ７６‥‥‥クリーニングブレード  ８０‥‥‥二次転写ユニット  ８２‥‥‥給紙トレイ  ８４‥‥‥給紙ローラ  ８６‥‥‥レジローラ  ８７‥‥‥排紙ローラ対  ８８‥‥‥搬送部  ８８Ａ、８８Ｂ‥‥‥搬送ローラ対  ８８Ｃ‥‥‥搬送路  ８９‥‥‥係合部  ８９Ａ‥‥‥突起  ９０‥‥‥定着装置  ９１‥‥‥定着ローラ（回転体）  ９２‥‥‥加圧ローラ（回転体）  ９３‥‥‥ヒータ  ９４‥‥‥温度検知体  ９５‥‥‥分離部材  ９６、９６’、９６’’‥‥‥ハウジング  ９６Ａ‥‥‥案内部  ９６Ａ１‥‥‥案内面  ９６Ｂ、９６Ｂ’‥‥‥突出部  ９６Ｃ‥‥‥回動部材  ９６Ｄ‥‥‥付勢部材  ９６Ｅ、９６Ｆ‥‥‥開口部  Ｐ‥‥‥記録媒体
【図１】
2006106032.tif 000003
【図２】
2006106032.tif 000004
【図３】
2006106032.tif 000005
【図４】
2006106032.tif 000006
【図５】
2006106032.tif 000007